Podtech/llm-jp-corpus-v4-ja_patent huggingface dataset:
(57)【要約】【課題】  リサイクルのため、使用後器具を使わず容易に２分割でき、内部洗浄を容易とする食品チューブを提供する。【解決手段】  チューブ本体〔１〕の基底部に取っ手〔２〕を設け、取っ手〔２〕から繋がる本体〔１〕上に切断部位〔４〕をもった、内部食品終了後は、取っ手を引くことにより、本体が割け、２分割できる構造を特徴とする。【選択図】  図１
2009107647.tif 000002
【特許請求の範囲】
【請求項１】
〔イ〕食品チューブ本体〔１〕基底部に取っ手〔２〕を設ける。
〔ロ〕取っ手〔２〕より本体〔１〕食品抽出部まで投げ縄状の厚い樹脂の部分〔３〕を設け、投げ縄状の厚い樹脂の部分〔３〕の外縁を周辺より薄く成型する。
〔ハ〕これら総ての素材は同一のものから形成されている。
以上の構成からなる使用後解体・洗浄容易な食品チューブ。
【発明の詳細な説明】
【技術分野】
【０００１】
この発明は解体・洗浄が容易な食品チューブに関するものである。
【背景技術】
【０００２】
従来マヨネーズ等の容器は、衛生面、使いやすさの面で、内部が広く抽出部が小さい使用面のみを考えた構造であった。
【発明の開示】
【発明が解決しようとする課題】
【０００３】
近年、資源の有効活用・再利用が叫ばれる中、食用品のプラスティック容器は使用後の内部洗浄、分別回収が進められている。しかし、地域によってはプラスティック表示が刻印されながらも可燃ごみ指定されている事が示すように、マヨネーズ等の食品チューブは、開口部の狭さ、内容食品の特性により内部洗浄は困難であり、不十分となりやすいといった欠点があった。
本発明は以上のような欠点をなくすためになされたものである。
【課題を解決するための手段】
【０００４】
食品チューブ本体〔１〕基底部に取っ手〔２〕を設け、取っ手〔２〕より本体〔１〕食品抽出部まで投げ縄状の厚い樹脂の部分〔３〕を設け、投げ縄状の厚い樹脂の部分〔３〕の外縁を周辺より薄く成型することにより、内部食品終了後は、取っ手を引くことにより、本体が割け、２分割できる構造とする。
本発明は以上の構成よりなる解体・洗浄容易な食品チューブである。
【発明の効果】
【０００５】
構造的に２分割できるため、器具〔はさみ等〕を使うような面倒もなく衛生的で、使用後、残存食品も掬い取り利用でき、広い断面からスポンジ等を入れ容易に内部の洗浄が可能となる。
【発明を実施するための最良の形態】
【０００６】
以下、本発明を実施するための最良の形態について説明する。
チューブ本体〔１〕の基底部接地面正面真ん中から基底部に垂直に板を成型する。板の先端には半径１ｃｍ程度、厚さ本体〔１〕の３倍程度のリングを成型し、取っ手〔２〕とする。取っ手〔２〕の両サイドに板を取っ手に接する形で成型する。この取っ手の両サイドの板をもって切断時押さえ板〔３〕とする。取っ手〔２〕及び切断時押さえ板〔３〕は基底部と平行に折り曲げておく。取っ手〔２〕の板部分及び切断時押さえ板は、幅５ｍｍ長さ５ｍｍほど厚さ本体〔１〕の３倍程度の板とする。
【０００７】
取っ手〔２〕の板部分は、そのままの幅と厚みを保ったまま本体〔１〕に繋がり、２ｃｍ程直進した後二本に枝分かれし、本体成型時の接着部分に沿って進み、食品抽出部手前で合流し一本にもどる。
取っ手〔２〕に始まり、本体〔１〕と同一素材で成型された、この本体上の投げ縄状の厚い部分をもって切断部位〔４〕とする。切断部位〔４〕基底部近くの枝分かれ部分は、始めは狭い角度をもって広がり、後急速に広がってゆく漏斗の断面様の形状を持つ。切断部位の外縁部及び、取っ手〔２〕本体接合部の基底部中心側縁は線状に薄く成型する。
本発明は以上のような構造である。
【０００８】
内部食品終了時には、切断時押さえ板〔３〕を基底部に押し付け、取っ手〔２〕を食品抽出口側に引くことにより、切断部位〔４〕から本体〔１〕が二つに裂け、片手で容易に内部の洗浄ができる。
又、キャップ以外総てが同一素材で出来ているため、再利用の幅が広げうる。
他の応用例としては、取っ手〔２〕から切断部位〔４〕に、本体〔１〕より強度の高い素材を用い成型する方法がある。
【図面の簡単な説明】
【０００９】
【図１】本発明解体開始部の拡大図である。
【図２】本発明の斜視図である。
【符号の説明】
【００１０】
１  本体
２  取っ手
３  切断時押さえ板
４  切断部位
【図１】
2009107647.tif 000003
【図２】
2009107647.tif 000004
(57)【要約】【課題】車輪が障害物に当たった時の衝撃力を吸収して、障害物を乗り越え安い力に変換して安定した走行が出来る。重心が低いのでカーブで車輪にかかる横向きの力を軽減出来る。起伏の激しい坂道で生じるスピードの変化を抑制して経済性の高いセンター外軸受け車輪を提供するものです。【構成】外輪部と内輪部の２つの回転機構を持ち、軸受け部は内輪部のセンター外にが設けてある。外輪と内輪の接する間だとセンター外軸受け部には低摩擦機構を設け、外輪部に負荷がかかると内輪部は外輪部との間に設けた低摩擦機構に沿って回転する。センター外軸受け部の軸も内輪部の回転に従い、回転する事で車輪が受ける衝撃力を吸収出来るセンター外軸受け車輪を提供するものです。【選択図】図１
2009107611.tif 000002
【特許請求の範囲】
【請求項１】
この車輪は一車輪で外輪部と内輪部の２つの回転機構を持ち、軸受け部は内輪部のセンター外にが設けてある。外輪部と内輪部の接する間だとセンター外軸受け部に低摩擦機構が設けてあり、外輪部に負荷がかかると内輪部は外輪部との間に設けた低摩擦機構に沿って回転移動をする。センター外軸受け部の軸も内輪部の回転移動に従い回転する。外輪が受けた衝撃力を内輪の回転移動によってその力を吸収する事が出来るセンター外軸受け車輪を提供するものです。
【請求項２】
図４で示す様に外輪リブの内側に複数の低摩擦機構を設けてそれぞれを連結リブで連結する。中央部近くの低摩擦機構に軸とアームを設ける。連結リブで連結された低摩擦機構は回転移動する事が出来るので、タイヤに負荷がかかると連結されたアームが低摩擦機構により回転移動して負荷を吸収する。センター外軸受け車輪を提供するものです。
【発明の詳細な説明】
【発明の詳細な説明】
【技術分野】
【０００１】外輪部と内輪部とセンター外軸受け部からなる走行用車輪です。外輪部が受けた負荷を外輪部の内側に沿って内輪部が回転移動する事でショックを吸収し衝撃力を障害物の乗り越え運動に変えるセンター外軸受け車輪でもあります。
【背景技術】
【０００２】車輪が受ける障害物からの衝撃力はスプリングやバネで吸収していた。又、衝撃力を吸収し、乗り越え運動に変換出来る機構を備えた一体型車輪は見あたらない。
【発明の開示】
【０００３】この車輪は一車輪で外輪部と内輪部の２つの回転機構を持ち、軸受け部は内輪部のセンター外にが設けてある。外輪部と内輪部の接する間とセンター外軸受け部に低摩擦機構が設けてあり、外輪部に負荷がかかると内輪部は外輪部との間に設けた低摩擦機構に沿って回転移動をする。センター外軸受け部の軸も内輪部の回転移動に従い回転する。外輪が受けた衝撃力を内輪の回転移動によってその力を吸収する事が出来るセンター外軸受け車輪です。
【発明が解決しようとする課題】
【０００４】車輪が障害物から受けた衝撃力を吸収して、衝撃力を乗り越え安い力に変換する事が出来る車輪。
【０００５】軸受け部を低く設けて起伏の激しい道で起こるスピードの変化を抑制して走行性に安定を持たせる事が出来る車輪。
【０００６】車輪の軸受け部を低くする事で重心を下げ、カーブなどで受ける外向の力を小さくして転倒防止と脱線防止が計れる車輪。
【発明の効果】
【０００７】外輪部が障害物に当たると内輪部のセンター外に取り付けられたセンター外軸受部の軸に力が伝わり慣性によって前進方向に軸が内輪部を押す事で外輪部の内側に沿って内輪部が回転移動するので衝撃力を吸収する。
【０００８】内輪部に取り付けられたセンター外軸受部が障害物で生じる衝突力のショックを内輪部の回転移動に変換して軸受け部と共に外輪部の内側に沿ってせり上がり障害物を乗り越え安くする。
【０００９】センター外車輪が障害物を乗り越えて下りる時に外輪部が内輪部のセンター外に設けた軸受けより先に着地するので軸受け部は滑り台を下りる様に後から着地するので乗り越えた着地ショックを吸収出来る。
【００１０】重心が低くい構造なのでカーブなどで受ける外向きの力が小さくなり、転倒や脱線しにくく走行性が安定する。
【００１１】構造が簡単で故障がしにくい。製造コストが安価である。
【００１２】外輪部と内輪部の間に設けた低摩擦機構は車輪の底面全体で車体の負荷を受けるので広く分散して摩耗を軽減する事が出来る。
【００１３】軸が受ける力を内輪部の最下位で受け止める機構なので内輪部の上部のリブは不必要になるのでリブ無し車輪が可能で重量の軽減を計る事が出来る。
【００１４】内輪部の軸受け部がセンター外に設けてあるので、支点から力点までの距離が短いので登り坂で、作用点にかかる後ろ向きの力が小さくなる。下り坂ではその逆効果でスピードをセイブ出来る。起伏の激しい道ではスピードコントロールをしてくれるので安定した走行が出来る。
【発明を実施するための最良の形態及び実施例】
【００１５】外輪部は走行用として空気入りタイヤを外輪リブに固定し、内輪部と接する所に低摩擦機構を設ける。センター外軸受け部の軸部にも低摩擦機構を設ける。
【００１６】ショッピングカーなどのキャスターとしても、外輪部と内輪部とセンター外軸受け部から成る構造にして障害物のショックと乗り越え安さを備えたキャスターが可能である。
【００１７】センター外軸受け車輪のアームにスプリングやバネとのコンビネーションで衝撃力と上下振動を吸収してよりその効果を発揮する事が出来る。
【００１８】内輪部に設けたセンター外軸受け部が走行外輪部の位置に近いので重心が低くなり、鉄道車輪の用に車体重量が大きい乗り物がカーブなどで受ける外向きの力を小さくするのに効果的である。
【００１９】一人乗り用の近距離乗り物など、軽車両の車輪の中に動力を組み込むのに適している。内輪部は少量の回転移動をするが回転はしない、軸受け上部のリブは必要が無いので、そこに動力を組み込む事が可能である。
【００２０】移動、停止に起こる慣性ショックを内輪部の回転移動が吸収してスムーズな動きをする事が出来る。
【００２１】片持ちでも両持ちでもセンター外軸受け車輪の持つ効果は同じである。
【図面の簡単な説明】
【図１】センター外軸受け車輪の側面図
【図２】センター外軸受け車輪の片持ちアームの断面図
【図３】センター外軸受け車輪の両持ちアームの断面図
【図４】センター外軸受け車輪の連結アーム型の側面図
【符号の説明】
１．外輪リブ              ２．低摩擦機構
３．内輪リブ              ４．アーム
５．軸受け部低摩擦機構    ６．軸
７．軸受け                ８．タイヤ
９．両持ちアーム        １０．連結アーム
【図１】
2009107611.tif 000003
【図２】
2009107611.tif 000004
【図３】
2009107611.tif 000005
【図４】
2009107611.tif 000006
(57)【要約】【課題】防護材を簡易に設置でき、しっかりと固定できる防護材の支持具を提供する。【解決手段】本発明に係る支持具は、コンテナに設置されたレールに着脱自在な取付部１と、コンテナに収容された物品がコンテナの前方側壁面に衝突することを防止する棒状の防護材の端部を保持する保持部２とを備え、保持部２が、防護材の端部を下から支える支持部２ａと、防護材の端部の水平方向の移動を規制する規制部２ｂとを有することを特徴とする。【選択図】図１
2009107635.tif 000002
【特許請求の範囲】
【請求項１】
コンテナに設置されたレールに着脱自在な取付部と、
コンテナに収容された物品がコンテナの前方側壁面に衝突することを防止する棒状の防護材の端部を保持する保持部とを備え、
前記保持部が、前記防護材の端部を下から支える支持部と、前記防護材の端部の水平方向の移動を規制する規制部とを有することを特徴とする防護材の支持具。
【請求項２】
前記取付部が、水平方向に間隔をおいて複数設けられていることを特徴とする請求項１に記載の防護材の支持具。
【発明の詳細な説明】
【技術分野】
【０００１】
本発明は、トラックなどの車両に搭載されるコンテナに収容された物品がコンテナの前方側壁面に衝突することを防止する棒状の防護材をコンテナに設置するときに用いられる防護材の支持具に関するものである。
【背景技術】
【０００２】
従来、コンテナに収容された物品が輸送中にコンテナの前方側壁面に衝突することにより、当該物品又はコンテナの前方側壁面に損傷が及ぶことを防止するため、コンテナの前方側壁面にシート状の緩衝材を防護材として貼り付けていた。
【０００３】
しかしながら、かかる防護材を貼り付ける作業には、手間と時間が掛かり面倒であった。また、かかる防護材がコンテナの前方側壁面にしっかりと固定されていないために、緩衝機能が発揮されず、当該物品又はコンテナの前方側壁面に損傷が及ぶことがあった。
【発明の開示】
【発明が解決しようとする課題】
【０００４】
本発明は、上記事情に鑑みなされたものであり、防護材を簡易に設置でき、かつしっかりと固定できる防護材の支持具を提供することを課題とするものである。
【課題を解決するための手段】
【０００５】
本発明は、上記課題を解決するため、以下の支持具を提供する。
１．コンテナに設置されたレールに着脱自在な取付部と、コンテナに収容された物品がコンテナの前方側壁面に衝突することを防止する棒状の防護材の端部を保持する保持部とを備え、前記保持部が、前記防護材の端部を下から支える支持部と、前記防護材の端部の水平方向の移動を規制する規制部とを有することを特徴とする防護材の支持具。
２．前記取付部が、水平方向に間隔をおいて複数設けられていることを特徴とする前記１に記載の防護材の支持具。
【発明の効果】
【０００６】
前記１に記載の本発明によれば、保持部が、防護材の端部を下から支える支持部と、防護材の端部の水平方向の移動を規制する規制部とを有して構成されるため、防護材を簡易に設置することができる。また、保持部を構成する支持部及び規制部によって、防護材の重力方向及び水平方向への動きが制限されるため、防護材をしっかりと固定できる。
前記２に記載の本発明によれば、取付部が、水平方向に間隔をおいて複数設けられているため、支持具とレールとの結合部に加えられる荷重が分散され、その結果、強度を高めることができる。
【発明を実施するための最良の形態】
【０００７】
以下、本発明の実施の形態を図面に示した実施例に従って説明する。
【実施例】
【０００８】
図１は本発明の実施例に係る支持具を示す正面図、図２はその平面図、図３はその右側面図である。これらの図に示したように、本実施例に係る支持具は、取付部１及び保持部２を有して構成される。
【０００９】
取付部１は、コンテナ４に設置されたレール５に着脱自在なものである。ここにいう「レール」とは、コンテナ４に収容された物品の荷崩れを防止するベルトやビームを支持するため、図４に示したように、コンテナ４の側壁４ａに設置されたレール５を意味し、かかるレール５には、図５に示したように、ベルトやビームの端部が結合される複数の孔部５ａが設けられている。このようなレール５は、例えば、特開２００４−４２７３８号公報に記載されているように周知である。
【００１０】
取付部１は、レール５に形成された孔部５ａに嵌り込んで、該孔部５ａの周縁と結合し得る形状に形成されている。取付部１は、図１及び図２に示したように、水平方向に間隔をおいて複数設けられることが好ましい。本実施例では、水平方向に間隔をおいて２つの取付部１，１が設けられているため、支持具とレール５との結合部に加えられる荷重が各取付部１，１によって分散される。したがって、強度が向上し、大きな荷重に耐え得る。
【００１１】
保持部２は、図１に示したように、支持部２ａ及び規制部２ｂを有して構成される。支持部２ａは、防護材６の端部を下から支えるものである。規制部２ｂは、防護材６の端部の水平方向の移動を規制するものである。本実施例では、保持部２が、底壁と、該底壁の両側において、該底壁に対して直交する側壁とから構成されており、底壁が支持部２ａとして機能し、各側壁が規制部２ｂとして機能する。
【００１２】
図３に示したように、上記した取付部１は、基板３の背面側に設けられ、保持部２は、基板３の正面側に設けられている。
【００１３】
上記のように構成される支持具は、図４に示したように、防護材６の両端部を支持するため、２個を一組として使用される。各支持具は、同一形状のものを使用できる。
【００１４】
支持具は、図５及び図６に示したように、取付部１をレール５の孔部５ａに結合させることにより、コンテナ４の前方側壁面４ｂの付近に設置される。ここで、「コンテナの前方側壁面」とは、物品の出し入れを行うコンテナの開閉扉に対向する壁面をいう。
【００１５】
保持部２には、図４に示したように、棒状の防護材６の端部が嵌め込まれる。この際、ボルト等の固定具は不要であり、保持部２を構成する支持部２ａ及び規制部２ｂによって形成される溝に防護材６の端部を嵌め込むだけでよい。
【００１６】
本実施例に係る支持具によれば、保持部２を構成する支持部２ａ及び規制部２ｂによって、防護材６の重力方向及び水平方向への動きが制限されるため、防護材６をしっかりと固定できる。また、上記したように、棒状の防護材６を簡易に設置することができる。
【図面の簡単な説明】
【００１７】
【図１】本発明の実施例に係る支持具を示す正面図である。
【図２】本発明の実施例に係る支持具を示す平面図である。
【図３】本発明の実施例に係る支持具を示す右側面図である。
【図４】支持具の使用状態を示す図である。
【図５】支持具をレールに取り付けた状態を示す正面図である。
【図６】支持具をレールに取り付けた状態を示す断面図である。
【符号の説明】
【００１８】
１  取付部
２  保持部
２ａ  支持部
２ｂ  規制部
３  基板
４  コンテナ
４ａ  側壁
５  レール
５ａ  孔部
６  防護材
【図１】
2009107635.tif 000003
【図２】
2009107635.tif 000004
【図３】
2009107635.tif 000005
【図４】
2009107635.tif 000006
【図５】
2009107635.tif 000007
【図６】
2009107635.tif 000008
(57)【要約】      （修正有）【課題】お気に入りのおもちゃも取り付けられ、また、ベビーカーの中に風を送り込み、ベビーカーに取り付け可能な扇風機を提供する。【解決手段】乾電池のエネルギーによって風を送り出す小型の扇風機１で、その両側におもちゃを取り付ける為のドーナツ型のホルダー２、２を設け、後方のマジックテープ式のベルト５、５で、ベビーカー前方のフロントカバーに前記扇風機１を取り付けたことを特徴とするベビーカーせんぷうきである。【選択図】図２
2009107606.tif 000002
【特許請求の範囲】
乾電池のエネルギーによって風を送り出す小型の扇風機で、その両側におもちゃを取り付ける為のドーナツ型のホルダーを設け、後方のマジックテープ式のベルトで、ベビーカー前方のフロントカバーに前記扇風機を取り付けたことを特徴とするベビーカーせんぷうき。
【発明の詳細な説明】
【技術分野】
【０００１】  本発明は、ベビーカーのフロントカバーに取り付けて、ベビーカーの中の空間に風を通し、暑い日でも乳幼児が快適に過ごすことができ、またお気に入りのおもちゃを取り付けることが出来るベビーカーせんぷうきである。
【技術背景】
【０００２】  従来、家庭内で使用する置き型の扇風機はあった。また、携帯用の小型のものはあった。
【発明の開示】
【発明が解決しようとする課題】
【０００３】  それには次のような問題点があった。
（イ）家庭内で使用する置き型のものは携帯することが出来ないため、外出先では使用できなかった。
（ロ）携帯用の小型のものは手で持って使用するため、ベビーカー等に取り付けることができなかった。
本発明は、以上の問題点を解決するためのものである。
【課題を解決するための手段】
【０００４】  乾電池のエネルギーによって風を送り出す小型の扇風機で、その両側におもちゃを取り付ける為のドーナツ型のホルダーを設け、後方のマジックテープ式のベルトで、ベビーカー前方のフロントカバーに前記扇風機を取り付けたことを特徴とするベビーカーせんぷうきである。
【発明の効果】
【０００５】  暑い日は熱気がこもりがちなベビーカーのなかの空間に風を送ることで、温度を下げ、乳幼児から熱中症や脱水症状などを防ぎ、快適に過ごさせることができた。
【発明を実施するための最良の形態】
【０００６】  以下、本発明の実施の形態を説明する。
（イ）ベビーカーに座っている乳幼児と対面するように、扇風機を向け、フロントカバーの上に置く。
（ロ）ベルトをドーナツ型ホルダーの下部から上部へ向かって手前に回し、ベルト通しに通して、調節する。
（ハ）マジックテープで固定させる。
（ニ）扇風機の裏面にあるスイッチを押し、作動させる。
また、扇風機の両端のドーナツ型ホルダーには、おもちゃを取り付けることが出来る。
【図面の簡単な説明】
【０００７】
【図１】  本発明の使用状態を示す表視図
【図２】  本発明の裏視図
【図３】  本発明の使用状態を示す斜視図
【符号の説明】
【０００８】  １．      扇風機
２．      ドーナツ型ホルダー
３．      ベルト
４．      ベルト通し
５．      マジックテープ
６．      乾電池入れのフタ
７．      扇風機作動のＯＮスイッチ
８．      扇風機作動のＯＦＦスイッチ
【図１】
2009107606.tif 000003
【図２】
2009107606.tif 000004
【図３】
2009107606.tif 000005
(57)【要約】      （修正有）【課題】従来型の屋根にソーラーを配置するタイプの自転車は、風の風圧により、自転車本来の爽快な気分を楽しむことが出来にくい。【解決手段】自転車の各部署に太陽電池を設置し、小型バッテリーに充電させ、小型モーターと連動させることにより、人力で漕ぐ力を補助することにより、自転車漕ぎを楽にする。【選択図】なし【特許請求の範囲】
【請求項１】
前マットガードに太陽電池を設置
【請求項２】
後マットガードに太陽電池を設置
【請求項３】
フレームに太陽電池を設置
【請求項４】
後部荷台のフタに太陽電池を設置
【請求項５】
前部荷台のフタに太陽電池を設置
【請求項６】
ハンドルに太陽電池を設置
【発明の詳細な説明】
【発明の詳細な説明】
【技術分野】
【０００１】本発明は、自転車の格部所に太陽電池を装置し、小型バッテリーに充電させ、小型モーターと連動させ、人力で漕ぐ力を補助するものである
【背景技術】
【０００２】屋根ソーラー自転車
【発明が解決しようとする課題】
【０００３】本発明は従来型の屋根ソーラーと違って自転車の格部所（前、後マットガード、フレーム、ハンドル、前、後荷台のフタ）に太陽電池を設置し、屋根に太陽電池を設置したソーラー自転車と違って風の風圧をなくし、自転車本来の爽快な気分を味会うことが出来る。
【問題を解決するための手段】
【０００４】本発明は自転車の格部署に太陽電池を設置し、小型バッテリーに充電させ、小型モーターと連動させるものである
(57)【要約】【課題】従来、印鑑は記念品・贈答品に用いられることは少なく、あったとしても校章・シンボルマーク印鑑自体が単体の印鑑であり、学校名、団体名、個人名等の印鑑と二本買う必要があった。【解決手段】印鑑本体１の内枠２の中に校章・シンボルマークを彫る。外枠回文３に学校名、団体名、個人名等を彫る事により今まで二本必要であったものを一本とすることができ、一本の印鑑で記念品・贈答品としての意味・価値を表すことができる。【選択図】図１
2009107347.tif 000002
【特許請求の範囲】
【請求項１】
外枠回文に学校名、学部名、個人名などを彫り、内枠には学校の校章シンボルマークを彫ることを特徴とする印鑑、ゴム印。
【請求項２】
外枠回文に、内枠に彫るシンボルマークの対象団体名、対象者名を彫ることを特徴とする請求項１記載の印鑑、ゴム印。
【発明の詳細な説明】
【技術分野】
【０００１】  この発明は、シンボルマーク・校章を内枠に、対象団体名、学校名、学部名、個人名を外枠に彫る印鑑の形状に関する。
【背景技術】
【０００２】  従来の印鑑の形状は、個人名は個人名で１つの印鑑。シンボルマーク・校章印鑑自体がほとんど現在見当たらず、あったとしても単体の印鑑である。
【発明の開示】
【発明が解決しようとする課題】
【０００３】しかしながら、以上の技術によれば、シンボルマーク・校章の印鑑と氏名の入った印鑑を別々に作らなければならず、記念品等などにそぐわない物である。  そこで、この発明は、両方をあわせて１つのものにし記念品としての印鑑を提供することを課題とする。
【課題を解決するための手段】
【０００４】  以上の課題を解決するために、第一発明は、内枠に校章を彫り、外枠回文に学校名、学部名、個人名を彫ることを特徴とする印鑑である。
また、第二発明は、内枠にシンボルマークを彫り、シンボルマーク対象団体名、個人名を彫ることを特徴とする印鑑である。
【発明の効果】
【０００５】  第一発明、または第二発明によれば、入学祝品としての印鑑、また各種行事などの時の記念品として贈与者、贈答者が１つの印鑑で表現できる効果があります。
【発明を実施するための最良の形態】
【０００６】  この発明の一実施形態を、図１に示す。
印鑑の本体１は象牙、牛角、柘など通常の印材であり、この本体１を、内枠として２を設け、外枠回文用に３を設け、それを一体にしたものである。【０００７】「実施形態の効果」
この実施形態によれば、内枠２に校章・シンボルマークを外枠３に名前を彫ることができ、この事により、二種類の印鑑を同時に持つ必要がなく、１つの印鑑で対応できる。【０００８】「他の実施形態」
図１の実施形態では、内枠に校章・シンボルマークを彫っていますが、他の実施形態では、外枠に大きさを変えて、校章・シンボルマーク・学校名・団体名を彫り、内枠に対象者の氏名を彫ったものでも良い。
【図面の簡単な説明】
【０００９】
【図１】この発明の一実施形態を示す正面図である。
【図２】従来技術を示す正面図である。
【図３】従来技術を示す正面図である。
【符号の説明】
【００１０】１  印鑑本体            ２  内枠（校章・シンボルマーク等）
３  外枠回文（学校名・団体名・氏名等）
【図１】
2009107347.tif 000003
【図２】
2009107347.tif 000004
【図３】
2009107347.tif 000005
(57)【要約】【課題】  出先や職場、学校などで、服から飛び出た糸など、糸状の物を切りたい時に、わざわざ大きなハサミを持ち歩かなくてもいいように、ハサミ機能を有する形状のクリップ付きペンを提供する。【解決手段】    ペン（１）に付いているクリップ（２）の端部を上向きに折り返し、折り返して出来た内側の上下の部分にハサミとしての機能を持たせるための上刃（３）と下刃（４）を設けたハサミ機能を有する形状のクリップ付きペンを特徴とする。【選択図】図１
2009107323.tif 000002
【特許請求の範囲】
【請求項１】
ペン類の軸（１）などに付いているクリップ（２）部分にハサミ上刃（３）、ハサミ下刃（４）を設けることによりハサミの機能を持たせた、ハサミ機能を有する形状のクリップ付きペン。
【発明の詳細な説明】
【技術分野】
【０００１】  この発明は、ペン類に付いているクリップに、ハサミとしての機能を有するための形状を持たせた、ハサミ機能を有する形状のクリップ付きペンに関するものである。
【背景技術】
【０００２】従来、ペンとハサミは別々になっていた。
【発明の開示】
【発明が解決しようとする課題】
【０００３】これは、次のような欠点があった。
シャープペンシルやボールペンは持ち歩いているがハサミはかさばるのであまり持ち歩かれていない現状があり、ちょっとした出先や職場、学校などで、ほつれた糸が服から飛び出しているのをハサミが無い場合、手でちぎろうとして、服を傷めてしまったりすることがあった。また、買った服のタグなどのちょっとした糸状の物を切りたい時も、出先などではハサミを持っていない事が多く、切り取る事に苦労することがあった。
本発明は以上のような欠点をなくすためになされたものである。
【課題を解決するための手段】
【０００４】  普段から持ち歩くのが苦にならないように、ペン類に付いているクリップの形状を工夫して、ハサミの機能を実現する。
ペン（１）に付いているクリップ（２）の端部を上向きに折り返し、折り返して出来た内側の上下の部分にハサミとしての機能を持たせるための上刃（３）、下刃（４）を設ける。
本発明は以上の構成よりなるハサミ機能を有する形状のクリップ付きペンである。
【発明の効果】
【０００５】  普段から持ち歩かれる事の多いペン類のクリップにハサミとしての機能を持たせる事で服からほつれて飛び出た糸や、買ったものに付いてきたタグなどを、わざわざかさばるハサミを持ち歩かなくても切ることが出来る。また、クリップの形状を変化させる事で機能を持たせているのでシンプルな概観で、ペンのデザインを損ねない。
【発明を実施するための最良の形態】
【０００６】  以下、本発明を実施するための最良の形態について説明する。
ペン（１）に付いているステンレス製のクリップ（２）のペン先方向の先端部分を下に膨らみを持つように折り返し、折り返して出来た空間の内側の上下の面にハサミの機能を持たせるための上刃（３）、下刃（４）を持たせる。本発明は以上のような構造である。
これを使用するときは、ペン類の軸部分をクリップ部分が上になるように握り、切りたい糸状の物をクリップに設けられた上刃（３）と下刃（４）の間に通したら、親指でクリップの折り返して出来た上部分を下に押し込むことで上刃（４）と下刃（３）の間にせん断力を発生させ糸などを切ればよい。また、クリップを下に膨らませながら折り曲げる事で、クリップの挟む力も増し、また指が刃に触れなくなり安全である。
【図面の簡単な説明】
【０００７】
【図１】本発明の正面図である。
【図２】本発明の斜視図である。
【図３】本発明の側面図である。
【図４】本発明のＡ−Ａ断面図である。
【符号の説明】
【０００８】（１）ペンの軸部分
（２）ペンに付属するクリップ
（３）クリップのハサミの上刃部分
（４）クリップのハサミの下刃部分
【図１】
2009107323.tif 000003
【図２】
2009107323.tif 000004
【図３】
2009107323.tif 000005
【図４】
2009107323.tif 000006
(57)【要約】      （修正有）【課題】天然木の風合いを持たせた意匠により従来のゴム・エストラマーの利用の範囲を超えた用途の提供。【解決手段】ゴム・エストラマーＢで、天然木Ａを積層・包囲する。【選択図】図１
2009107322.tif 000002
【特許請求の範囲】
【請求項１】
透明素材の積層を特長として、柔軟性且つ耐熱性を改善した透明樹脂のなかに天然木化粧板端材を厚み１〜５Ｔまで製造可能であり最大５００角程度で考える。
【発明の詳細な説明】
【技術分野】
【０００１】本発明は、天然木の意匠をゴム・エストラマーに加えることにより、ゴム・エストラマーの機能性の高さを活用するとともに、天然木の風合いを持たせた意匠により従来のゴム・エストラマーの利用の範囲を超えた用途を開発する。
また、天然木については、これまで廃棄焼却されていた産業廃材を活用することが可能であり、環境問題を配慮したものである。
【背景技術】
【０００２】天然木に樹脂を表面積層したものに比べ、ゴム・エストラマーと天然木を積層したものは、柔軟性に優れ、耐熱温度が摂氏１２０度から摂氏２００度へと向上する。
【特許文献１】特開２００４−２１６７２２  ［第１〜１０頁］
【特許文献２】特開２００４−７４７４６  ［第１〜２０頁］
【発明の開示】
【発明が解決しようとする課題】ゴム・エストラマーの意匠は、ゴム・エストラマーの本来の色によるもの、着色によるものであったが、本製品は、天然木の廃材を用いることで自然の風合いを活かした意匠が可能となる。天然木として用いる素材については、産業財として活用されてきた、突き板等の天然木の廃棄物を再利用する。
【課題を解決するための手段】ゴム・エストラマーで、天然木を積層・包囲する。
【発明の効果】ゴム・エストラマーの伸び縮みする、柔らかい、弾力性に富むという基本機能や、防振・緩衝作用、金属絶縁性という特長を活かした性質をもちながら、天然木の風合いを持たせるこたが可能となる。
【発明を実施するための最良の形態】
【実施例】準備された天然木端材を、ゴム成形する為の金型にセットする、金型構造は上型下型の２層であり、始めに部出しをしたシリコンゴム１枚を下型に敷き次に天然木端材を置き最後にもう一度シリコンゴムを置いた状態にする。
部出寸法においては全体の厚み（１〜５Ｔ）を維持する技術が必要であり薄くなればなるほど難しい製品である。
材料をセットする時間はゴムが加硫する前に行なわなければいけない作業であり熟練者でないと難しい物である。
全てに措いて完璧に作業されないと、天然木が包囲したゴムより飛び出る事がある為に高度な技術が要求される。
ゴム成形は、コンプレッション成形であり、金型温度２００度を保持し加硫時間数分で１枚のシートが完成される。
［１］素練り、混練されたゴム・エストラマーえお完成形状の１／２の均一な厚さに成型する。
［２］金型、下型にゴム・エストラマーを敷き、天然木を敷き、さらにゴム・エストラマーを被せる。
［３］金型、上型を合わせる。
［４］金型温度摂氏１２０度〜２００度により、加圧、加硫する。
［５］加圧、加硫後金型から取り出す
【産業上の利用可能性】個別のゴム・エストラマーの持つ、引っ張り強さ、伸び、反発弾性、耐磨耗性対侯性といった性質を活かいた用途のみならず、天然木の風合いを活かした意匠により消費財向けのゴム・エストラマーの活用範囲を広げることができる。
【図１】
2009107322.tif 000003
【図２】
2009107322.tif 000004
【手続補正書】
【提出日】平成20年2月6日(2008.2.6)
【手続補正１】
【補正対象書類名】明細書
【補正対象項目名】全文
【補正方法】変更
【補正の内容】
【発明の詳細な説明】
【技術分野】
【０００１】本発明は、天然木の意匠をゴム・エストラマーに加えることにより、ゴム・エストラマーの機能性の高さを活用するとともに、天然木の風合いを持たせた意匠により従来のゴム・エストラマーの利用の範囲を超えた用途を開発する。
また、天然木については、これまで廃棄焼却されていた産業廃材を活用することが可能であり、環境問題を配慮したものである。
【背景技術】
【０００２】天然木に樹脂を表面積層したものに比べ、ゴム・エストラマーと天然木を積層したものは、柔軟性優れ、耐熱温度が摂氏１２０度から摂氏２００度へと向上する。
【特許文献１】特開２００４−２１６７２２    ［第１〜１０頁］
【特許文献２】特開２００４−７４７４６    ［第１〜２０頁］
【発明の開示】
【発明が解決しようとする課題】
【０００３】  ゴム・エストラマーの意匠は、ゴム・エストラマーの本来の色によるもの、着色によるものであったが、本製品は、天然木の廃材を用いることで自然の風合いを活かした意匠が可能となる。天然木として用いる素材については、産業財として活用されてきた、突き板等の天然木の廃棄物を再利用する。
【課題を解決するための手段】
【０００４】  ゴム・エストラマーで、天然木を積層・包囲する。
【発明の効果】
【０００５】ゴム・エストラマーの伸び縮みする、柔らかい、弾力性に富むという基本機能や、防振、緩衝作用、金属絶縁性という特長を活かした性質をもちながら、天然木の風合いを持たせることが可能となる。
【発明を実施するための最良の形態】
【実施例】
【０００６】準備された天然木端材を、ゴム成形する為の金型にセットする。金型構造は上型下型の２層であり、始めに部出しをしたシリコンゴム１枚を下型に敷き次に天然木端材を置き最後にもう一度シリコンゴムを置いた状態にする。
部出寸法においては全体の厚み（１〜５Ｔ）を維持する技術が必要であり薄くなればなるほど難しい製品である。
材料をセットする時間はゴムが加硫する前に行なわなければいけない作業であり熟練者でないと難しい物である。
全てに措いて完璧に作業されないと、天然木が包囲したゴムより飛び出る事がある為に高度な技術が要求さりる。
ゴム成形は、コンプレッション成形であり、金型温度２００度を保持し加硫時間数分で１枚のシートが完成される。
［１］素練り、混練されたゴム・エストラマーえお完成形状の１／２の均一な厚さに成型する。
［２］金型、下型にゴム・エストラマーを敷き、天然木を敷き、さらにゴム・エストラマーを被せる。
［３］金型、上型を合わせる。
［４］金型温度摂氏１２０度〜２００度により、加圧、加硫する。
［５］加圧、加硫後金型から取り出す。
【産業上の利用可能性】
【０００７】個別のゴム・エストラマーの持つ、引っ張り強さ、伸び、反発弾性、耐磨耗性対候性といった性質を活かした用途のみならず、天然木の風合いを活かした意匠により消費財向けのゴム・エストラマーの活用範囲を広げることができる。
【図面の簡単な説明】
【０００８】
【図１】本発明の天然木を活用した、ゴム・エストラマーの断面図である。
【図２】本発明の天然木を利用した廃材の断面図及び加工前のゴム・エストラマーの断面図である。
(57)【要約】【課題】  防虫・防臭効果に優れる竹炭シートとそれを用いた掛軸を提供する。【解決手段】  裂として和紙を用い、これを墨汁に浸漬させて均一に含浸させ、自然乾燥する。次に、竹炭粉を５ｇ／ｍ２と布糊を３ｇ／ｍ２を混合し、これを和紙の片面全面に付着する。次に、竹炭粉の上面に膠を厚めに塗装し、その上面にインクジェットプリンタで模様を形成する。次に、模様の上面に膠を先の膠と同量塗装し、中回し２を製作する。そして、この中回し２に絵柄が形成された金箔からなる本紙３を貼着して求める掛軸１を得る。【選択図】  図１
2009095606.tif 000002
【特許請求の範囲】
【請求項１】
吸水性を有するシート基材に墨汁を含浸させ、同シート基材の片面又は両面に竹炭粉を糊材で付着した、竹炭シート。
【請求項２】
シート基材として和紙又は織物を用い、糊材として布海苔を原料とした布糊を用いた、請求項１記載の竹炭シート。
【請求項３】
掛軸の裂に請求項１又は２記載の竹炭シートを用い、同竹炭シートの上面に膠を塗装してその上に模様を形成し、書画が形成された本紙を前記竹炭シートの上面に貼着した、掛軸。
【発明の詳細な説明】
【技術分野】
【０００１】
本発明は、室内で長期間に渡って使用する用途に好適な竹炭シートとそれを用いた掛軸に関する。
【背景技術】
【０００２】
従来、掛軸の裂（きれ）としては和紙や織物等が用いられているが、湿気や乾燥に弱く、長期に渡って保管する場合は裂に虫食いの被害を受けたり嫌な臭いがしたりすることがあった。また、防虫剤や防臭剤を使用すると軸先を傷めることがあった。このように、掛軸の品質を長期に渡って保持することが難しかった。
【０００３】
これに対し、裂の表面に透明の塩化ビニル樹脂やアクリル樹脂をコート処理した掛軸が特許文献１で提案されている。この技術によれば、裂を湿気や乾燥から保護して書画の美しさを長期に渡って保持できるというものである。しかし、前記技術はコート処理により光沢が与えられて見掛けや風合いが変化してしまうことがあり、防虫・防臭効果については依然満足できるものではなかった。
【特許文献１】特開２００２−４１７号公報
【発明の開示】
【発明が解決しようとする課題】
【０００４】
本発明が解決しようとする課題は、従来のこれらの問題点を解消し、防虫・防臭効果に優れる竹炭シートとそれを用いた掛軸を提供することにある。
【課題を解決するための手段】
【０００５】
かかる課題を解決した本発明の構成は、
１）  吸水性を有するシート基材に墨汁を含浸させ、同シート基材の片面又は両面に竹炭粉を糊材で付着した、竹炭シート
２）  シート基材として和紙又は織物を用い、糊材として布海苔を原料とした布糊を用いた、前記１）記載の竹炭シート
３）  掛軸の裂に前記１）又は２）記載の竹炭シートを用い、同竹炭シートの上面に膠を塗装してその上に模様を形成し、書画が形成された本紙を前記竹炭シートの上面に貼着した、掛軸
にある。
【発明の効果】
【０００６】
本発明によれば、防虫・防臭効果に優れる竹炭粉をシート基材に付着したから、優れた防虫・防臭性能を有するシートを提供できる。このシート基材を掛軸の裂に用いると、絵柄は竹炭粉の上面に形成するから見掛けや風合いを損ねることなく防虫・防臭性能を付与でき、虫食いの被害を受けたり嫌な臭いがすることなく長期に渡って品質を保持できるようになる。
【発明を実施するための最良の形態】
【０００７】
本発明のシート基材としては、和紙・絹等の織物など吸水性に優れるものが用いられる。このシート基材の全面に墨汁を含浸する。墨汁は竹炭粉の付着性を向上させるためのもので、松煙墨や油煙墨を原料としたものが用いられる。墨汁の含浸方法としては、墨汁にシート基材を直接浸漬させる方法、スプレー・刷毛・ローラー等で片面又は両面に塗布する方法などがあり、含浸後は自然乾燥させるかドライヤー等で熱風乾燥する。又、本発明のシートの表面につづれを被覆することもある。
【０００８】
墨汁を含浸させたシート基材の片面又は両面には竹炭粉を糊材で付着する。竹炭粉の付着量としては３〜７ｇ／ｍ２で実用的で、３ｇ／ｍ２以下では防虫・防臭効果が不十分で、７ｇ／ｍ２以上は過剰である。糊材としては、布海苔を原料とした布糊など弱い接着力を示すものが用いられ、塗布量としては１〜５ｇ／ｍ２が実用的で、１ｇ／ｍ２以下では不足して竹炭粉が取れ易くなり、５ｇ／ｍ２以上では過剰となる。
【０００９】
本発明の竹炭シートを掛軸の裂に用いる場合は、竹炭シートの上面に膠を塗装する。膠は絵柄を形成するための画材の付着性を向上させるためのものである。塗布量としてはなるべく濃く塗布するのが望ましいが、あまり過剰に塗布すると裂が肉厚となって巻取りが困難となる。この塗装された膠の上面に所望の絵柄を形成する。絵柄は全面又は一部にインクジェットプリンタ等を用いて形成する。形成した絵柄の上面には今一度膠を塗装する。この膠は画材の剥落防止と耐久性向上のために塗装されるものである。塗布量は先の膠と同量でよい。
【００１０】
このようにして得られた裂の表面に本紙を貼着する。本紙は従来から使用されている和紙・絹・その他金箔等が用いられ、所望の絵柄や書画が形成される。以下、本発明の実施例を図面に基づいて具体的に説明する。
【実施例１】
【００１１】
図１，２に示す実施例は、本発明の竹炭シートを裂として用いた掛軸の例である。図１は実施例の掛軸の正面図、図２は実施例の掛軸の断面図である。図中、１は掛軸、２は中回し、２ａは和紙、２ｂは竹炭粉、２ｃは膠、２ｄは模様、３は本紙、４は軸先、５は紐である。
【００１２】
本実施例では、裂として和紙２ａを用い、これを墨汁に浸漬させて均一に含浸させ、自然乾燥した。次に、竹炭粉２ｂを５ｇ／ｍ２と布糊を３ｇ／ｍ２を混合し、これを和紙２ａの片面全面に付着した。次に、竹炭粉２ｂの上面に膠２ｃを厚めに塗装し、その上面にインクジェットプリンタで模様２ｄを形成した。次に、模様２ｄの上面に膠２ｃを先の膠２ｃと同量塗装し、中回し２を製作した。そして、この中回し２に曼陀羅の絵が形成された金箔からなる本紙３を貼着して求める掛軸１を得た。
【００１３】
以上説明したように、本実施例によれば防虫・防臭効果に優れる竹炭粉２ｂを和紙２ａに付着したから、優れた防虫・防臭性能を有する裂となった。これにより、模様２ｄは竹炭粉２ｂの上面に形成するから見掛けや風合いを損ねることなく防虫・防臭性能が付与され、虫食いの被害を受けたり嫌な臭いがすることなく長期に渡って品質を保持できるようになった。
【産業上の利用可能性】
【００１４】
本発明の竹炭シートは、掛軸の裂、壁紙など長期に渡って室内に装飾又は保管する用途に利用される。
【図面の簡単な説明】
【００１５】
【図１】実施例の掛軸の正面図である。
【図２】実施例の掛軸の断面図である。
【符号の説明】
【００１６】
１  掛軸
２  中回し
２ａ  和紙
２ｂ  竹炭粉
２ｃ  膠
２ｄ  模様
３  本紙
４  軸先
５  紐
【図１】
2009095606.tif 000003
【図２】
2009095606.tif 000004
(57)【要約】      （修正有）【課題】使用して歯先が広がった歯ブラシは再利用される事なく、処分されている。ブラシ部を成型して再利用する。【解決手段】広がった歯先を型にはめ、熱を加えれば簡単に元に近い形に戻す事が出来るので再利用できる。【選択図】図１
2009095633.tif 000002
【特許請求の範囲】
【請求項１】
電動及び一般的歯ブラシを使用後ブラシ部を型にはめ熱を加えて成型し再利用出来る様にする器具。
【発明の詳細な説明】
【技術分野】
【０００１】本発明は使用後、変形した歯ブラシのブラシ部分を型にはめ、熱を加え、変形したブラシ部を使用前の形に近くする。
【背景技術】
【０００２】歯ブラシは、使用している内に、ブラシの部分が変形して、広がり、歯磨き効果が落ちてくる。
【発明の開示】
【発明が解決しようとする課題】
【０００３】変形して広がったブラシ部分を使用前に近い形に戻す。
【課題を解決するための手段】
【０００４】変形したブラシ部を型にはめ熱を加える事により成型できる。
【発明の効果】
【０００５】本発明で、変形したブラシ部を何回か成型して使用すれば、経済効果が期待できる。
【産業上の利用可能性】
【０００６】歯ブラシは毎日、世界で使用されている物である為、期待できる。
【図面の簡単な説明】
【０００７】
【図１】ブラシ部を型に入れた状態
【図２】ブラシの成型状況
【符号の説明】
【０００９】１  成型器本体
２  加熱部分
３  歯ブラシ
４  ブラシ部分
５  ブラシ成型状態
【図１】
2009095633.tif 000003
【図２】
2009095633.tif 000004
(57)【要約】      （修正有）【課題】外耳や耳垂の形状や機能を矯正するには外科的な処置が必要であるが、これを簡単に行うことが出来、かつ装飾効果も得られる器具を発明した。【解決手段】Ｃ字型の器具を耳の後部から挟み込む方式にすることで、取り付け・取り外しが簡単に行うことが出来、ピアスのように孔を開ける必要も無い矯正及び装飾具である。器具の中心の角度Ｒを調節することで、使用者に合った矯正が可能である。また素材には皮膚に優しい白金、金、銀、チタン及び宝石類を選ぶとよい。この発明を利用すれば重量のある宝飾類を吊り下げることが可能である。【選択図】図１
2009095627.tif 000002
【特許請求の範囲】
【請求項１】
金属、石材、木、樹脂、プラスチック等あらゆる素材による外耳及び耳垂矯正及び装飾具。
【請求項２】
外観的な耳のスタイル・形状を整え、顔を見やすく調整する調整金具。
【請求項３】
請求項２と同時にイヤリングやピアスのような装飾具にもなる調整金具。
【請求項４】
あらゆる素材で製作できるが、特に皮膚に優しく、宝飾的な素材がよい。
【請求項５】
使用する個人の外耳の形状にあった矯正及び装飾具とする。
【請求項６】
耳鳴りや難聴保護にも寄与する。
【請求項７】
ピアスやイヤリングにする場合、外耳や耳垂に孔を開けることなく、簡単に取り外しが可能なものとする。
【請求項８】
耳垂を福耳に矯正する器具及び装飾具
【請求項９】
白金、金、銀、チタンなどの貴金属を主体とし、そこにダイヤ、ヒスイ、ルビーなど宝石類を組み合わせた請求項１から８の装飾具。
【発明の詳細な説明】
【技術の分野】
【０００１】本発明は、耳の外耳部及び耳垂部の形状を矯正し、顔に合った形に調整することが可能な矯正具であり、またピアスやイヤリングのような装飾具としても使用可能である。
【０００２】従来のピアスと違い、耳に孔を開けたり止め金具などを使用したりすること無く耳の形状を最大限に利用して装飾することが出来、かつ耳の形状を矯正することで、女性・男性問わずより美しいスタイルに変身することが出来る。
【０００３】金具を取り付けるだけで耳垂の位置を下方又は前方に調節することが出来、いわゆる福耳に矯正することが可能である。
【背景技術】
【０００４】耳は音を聞き分ける器官というだけではなく、顔の一部としてその人の外見に大きな影響を与える部位でもある。生まれつきのものと諦めてしまうことなく、少し矯正して形状を変えたり宝飾したりすることで、顔全体のイメージを大きく変えることが出来る。
【発明が解決しようとする課題】
【０００５】耳に孔を開けたり傷を付けたりすること無く、外耳や耳垂の形状を変化させる器具であり、先天的または後天的な左右の耳の形状の違いなどを矯正し、見た目のバランスを整えると同時に、外耳の本来の機能である集音力を高めるような調節も可能である。
【０００６】また、器具に宝飾をほどこすことで顔のスタイルに変化を生み、よりポジティブな自己表現が可能となる。
【課題を解決する為の手段】
【０００７】例えば図１に示すようなアルファベットのＣ字型の器具であり、外耳の後部から眼鏡の延長のような方式で違和感無く装着できる。
【０００８】図１のＲの角度を使用者に合うように調節することで、耳の形状の矯正及び集音効果の向上を図ることができる。
【０００９】また図２のように器具の上部や下部に宝飾を付けることでイヤリングやピアスのような装飾具としても使用できる。
【００１０】耳垂を矯正する際は図３のような器具によって対耳珠と耳垂をはさむようにするとよい。
【図１】
2009095627.tif 000003
【図２】
2009095627.tif 000004
【図２】
2009095627.tif 000005
【手続補正書】
【提出日】平成19年12月27日(2007.12.27)
【手続補正２】
【補正対象書類名】明細書
【補正対象項目名】全文
【補正方法】変更
【補正の内容】
【発明の詳細な説明】
【技術の分野】
【０００１】本発明は、耳の外耳部及び耳垂部の形状を矯正し、顔に合った形に調整することが可能な矯正具であり、またピアスやイヤリングのような装飾具としても使用可能である。
【０００２】従来のピアスと違い、耳に孔を開けたり止め金具などを使用したりすること無く耳の形状を最大限に利用して装飾することが出来、かつ耳の形状を矯正することで、女性・男性問わずより美しいスタイルに変身することが出来る。
【０００３】金具を取り付けるだけで耳垂の位置を下方又は前方に調節することが出来、いわゆる福耳に矯正することが可能である。
【背景技術】
【０００４】耳は音を聞き分ける器官というだけではなく、顔の一部としてその人の外見に大きな影響を与える部位でもある。生まれつきのものと諦めてしまうことなく、少し矯正して形状を変えたり宝飾したりすることで、顔全体のイメージを大きく変えることが出来る。
【発明が解決しようとする課題】
【０００５】耳に孔を開けたり傷を付けたりすること無く、外耳や耳垂の形状を変化させる器具であり、先天的または後天的な左右の耳の形状の違いなどを矯正し、見た目のバランスを整えると同時に、外耳の本来の機能である集音力を高めるような調節も可能である。
【０００６】また、器具に宝飾をほどこすことで顔のスタイルに変化を生み、よりポジティブな自己表現が可能となる。
【課題を解決する為の手段】
【０００７】例えば図１に示すようなアルファベットのＣ字型の器具であり、外耳の後部から眼鏡の延長のような方式で違和感無く装着できる。
【０００８】図１のＲの角度を使用者に合うように調節することで、耳の形状の矯正及び集音効果の向上を図ることができる。
【０００９】また図２のように器具の上部や下部に宝飾を付けることでイヤリングやピアスのような装飾具としても使用できる。
【００１０】耳垂を矯正する際は図３のような器具によって対耳珠と耳垂をはさむようにするとよい。
【図面の簡単な説明】
【００１１】
【図１】は形状の例である。
【図２】は外耳の後部に装着する場合の例である。
【図３】は対耳珠と耳垂に装着する場合の例である。
【手続補正３】
【補正対象書類名】図面
【補正対象項目名】全図
【補正方法】変更
【補正の内容】
【図１】
2009095627.tif 000006
【図２】
2009095627.tif 000007
【図３】
2009095627.tif 000008